(57)【要約】      （修正有）【課題】情報記録媒体に簡易にホログラムを形成できる画像形成装置及び記録方法を提供する。【解決手段】第１の記録部と、第２の記録部と、転写部とを備え、第１の記録部は、光に情報を記録可能な中間転写媒体にインクによって第１の情報を記録する。第２の記録部は、中間転写媒体に記録された第１の情報で反射した反射光Ｌ２と、第１の情報で反射していない参照光とを中間転写媒体に入射して、中間転写媒体に対してホログラム１４を記録する。転写部は、中間転写媒体に記録されたホログラムを情報記録媒体に転写する。【選択図】図５
2016053707.tif 000002
【特許請求の範囲】
【請求項１】
光により情報を記録可能な中間転写媒体にインクによって第１の情報を記録する第１の記録部と、
前記中間転写媒体に記録された前記第１の情報で反射した反射光と、前記第１の情報で反射していない参照光とを前記中間転写媒体に入射して、前記中間転写媒体に対してホログラムを記録する第２の記録部と、
前記中間転写媒体に記録された前記ホログラムを情報記録媒体に転写する転写部と、
を具備する画像形成装置。
【請求項２】
前記中間転写媒体の前記第１の情報が記録された第１領域内において前記反射光の反射角を異ならせる第１機構を備えた請求項１に記載の画像形成装置。
【請求項３】
前記第１機構は、前記第１領域に接触し、前記第１領域の少なくとも一部を、前記中間転写媒体の第１面から当該第１面の反対側の第２面に向かって、若しくは前記第２面から前記１面に向かって移動させる請求項２に記載の画像形成装置。
【請求項４】
前記第１機構は、光を鏡面反射または拡散反射させる媒体である請求項３に記載の画像形成装置。
【請求項５】
前記第１機構は、前記第１領域に触れる面が、平面、曲面または凹凸を有する請求項３または４に記載の画像形成装置。
【請求項６】
前記第１の記録部は、前記中間転写媒体に前記第１の情報とは異なる第２の情報をインクによって記録し、
前記転写部は、前記中間転写媒体に記録された前記第２の情報を前記情報記録媒体に転写する、請求項１から５のいずれか一に記載の画像形成装置。
【請求項７】
前記中間転写媒体の第１の部分及び第２の部分が互いに重なる搬送路に沿って前記中間転写媒体を搬送する搬送部、をさらに具備し、
前記第２の記録部は、前記第１の部分に記録された前記第１の情報で反射した反射光と、前記第１の情報に反射していない参照光とを前記第２の部分に入射することで、前記第２の部分に前記ホログラムを記録する、
請求項１から６のいずれか一に記載の画像形成装置。
【請求項８】
前記第１の記録部は、前記第２の記録部によって前記ホログラムを記録済みの前記中間転写媒体に前記第２の情報を記録する、請求項７に記載の画像形成装置。
【請求項９】
光により情報を記録可能な中間転写媒体にインクによって第１の情報を記録し、
前記中間転写媒体に記録された前記第１の情報で反射した反射光と、前記第１の情報で反射していない参照光とを前記中間転写媒体に入射して、前記中間転写媒体に対してホログラムを記録し、
前記中間転写媒体に記録された前記第１の情報および前記ホログラムを情報記録媒体に転写する、
ことを含む記録方法。
【請求項１０】
前記中間転写媒体の前記第１の情報が記録された第１領域内において前記反射光の反射角を異ならせる請求項９に記載の記録方法。
【発明の詳細な説明】
【技術分野】
【０００１】
本発明の実施形態は、画像形成装置及び記録方法に関する。
【背景技術】
【０００２】
ＩＤカードのような種々の情報記録媒体は、例えば、偽造品を製造されたり、写真や氏名のような情報を書き換える変造がされたりするおそれがある。このような偽変造を防止するため、情報記録媒体は、ホログラムのような偽変造防止技術を施されることがある。
【先行技術文献】
【特許文献】
【０００３】
【特許文献１】特許第５５２１４７５号
【発明の概要】
【発明が解決しようとする課題】
【０００４】
情報記録媒体を製造する装置は、ホログラムを形成するために、例えば、マスクを形成したり、液晶によって被写体を形成したりする。このように、ホログラムを形成するための消耗品や、特別な装置を用意することは、情報記録媒体の製造コストを増大させる。
【０００５】
本発明が解決する課題の一例は、情報記録媒体に簡易にホログラムを形成できる画像形成装置及び記録方法を提供することである。
【課題を解決するための手段】
【０００６】
一つの実施の形態に係る画像形成装置は、第１の記録部と、第２の記録部と、転写部とを備える。第１の記録部は、光により情報を記録可能な中間転写媒体にインクによって第１の情報を記録する。第２の記録部は、中間転写媒体に記録された第１の情報で反射した反射光と、第１の情報で反射していない参照光とを中間転写媒体に入射して、中間転写媒体に対してホログラムを記録する。転写部は、中間転写媒体に記録されたホログラムを情報記録媒体に転写する。
【図面の簡単な説明】
【０００７】
【図１】図１は、第１の実施の形態に係るＩＤカードの例を示す平面図である。
【図２】図２は、第１の実施の形態のＩＤカードを図１のＦ２−Ｆ２線に沿って示す断面図である。
【図３】図３は、第１の実施の形態のＩＤカードを製造するＩＤカード製造装置を概略的に示す図である。
【図４】図４は、第１の実施の形態のＩＤカード製造装置の制御部の構成を機能的に示すブロック図である。
【図５】図５は、第１の実施の形態のホログラム作成部及び中間転写フィルムを図３のＦ５−Ｆ５線に沿って示す断面図である。
【図６】図６は、第１の実施の形態のホログラム作成部及び中間転写フィルムを図５のＦ６−Ｆ６線に沿って示す断面図である。
【図７】図７は、第１の実施の形態のＩＤカード製造装置によるＩＤカードの製造工程の一例を示すフローチャートである。
【図８】図８は、第２の実施の形態に係るＩＤカード製造装置を概略的に示す図である。
【図９】図９は、第２の実施の形態のＩＤカード製造装置によって製造されるＩＤカードの一例を示す平面図である。
【図１０】図１０は、第３の実施の形態にかかるＩＤカード製造装置が有するホログラム作成部及び中間転写フィルムを図３のＦ５−Ｆ５線に沿って示す断面図である。
【図１１】図１１は、第３の実施の形態にかかるＩＤカード製造装置が有する角度変更機構の動作の一例を説明するための図である。
【図１２】図１２は、第３の実施の形態にかかるＩＤカード製造装置におけるＩＤカードの製造工程の一例を示すフローチャートである。
【図１３】図１３は、変形例１にかかるＩＤカード製造装置における二値化処理の一例を説明するための図である。
【図１４】図１４は、変形例２にかかるＩＤカード製造装置が有する角度変更機構の動作の一例を説明するための図である。
【発明を実施するための形態】
【０００８】
以下に、第１の実施の形態について、図１乃至図１４を参照して説明する。なお、実施の形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
（第１の実施の形態）
図１は、第１の実施の形態に係るＩＤカード１０の例を示す平面図である。ＩＤカード１０は、情報記録媒体の一例であり、例えば、運転免許証、パスポート、及びビザ（査証）のような種々の情報記録媒体である。なお、情報記録媒体はこれに限らない。
【００１０】
図１に示すように、ＩＤカード１０は、表示面１１と、顔画像１２と、文字情報１３と、ホログラム１４とを有する。顔画像１２及び文字情報１３は、第２の情報の一例であり、例えば、固有情報のようにも称され得る。ホログラム１４は、例えば、偽変造防止情報のようにも称され得る。ＩＤカード１０は、例えば、ＩＣチップ、固定パターンを有するホログラム、及び蛍光インクによって形成される画像のような、偽変造を防止するための種々の部材及び情報をさらに有しても良い。
【００１１】
表示面１１は、平坦に形成される。なお、表示面１１には、例えばエンボス加工によって凹凸が形成されても良い。表示面１１に、顔画像１２、文字情報１３、及びホログラム１４が表示される。
【００１２】
顔画像１２は、例えば、ＩＤカード１０の所有者を示す画像である。文字情報１３は、例えば、氏名のようなＩＤカード１０の所有者の個人情報や、発行番号のようなＩＤカード１０の固有の情報を示す。
【００１３】
ホログラム１４は、ＩＤカード１０の偽変造を抑制するために、ＩＤカード１０に付与される情報である。ホログラム１４は、例えば、ＩＤカード１０の所有者を立体的に表示するカラー（多色）の画像である。なお、ホログラム１４はこれに限らず、例えば、図形や文字であっても良い。本実施の形態において、ホログラム１４は、ＩＣカード１０上において、顔画像１２及び文字情報１３から外れた位置（顔画像１２および文字情報１３が形成された位置とは異なる位置）に形成される。
【００１４】
図２は、図１のＦ２−Ｆ２線に沿ってＩＤカード１０を示す断面図である。図２に示すように、ＩＤカード１０は、基材２１と、接着層２２と、フィルム２３とを有する。フィルム２３は、中間転写媒体の一部の一例である。
【００１５】
基材２１は、例えば、紙やポリカーボネートのような合成樹脂によって作られる。基材２１は、平坦な上面２１ａを有する。上面２１ａに、例えば、背景画像や項目名のような、複数のＩＤカード１０に共通する情報が印刷される。
【００１６】
接着層２２は、例えば、可視光を透過可能な透明の合成樹脂によって作られる。接着層２２は、フィルム２３と基材２１との間に設けられ、フィルム２３を、基材２１の上面２１ａに接着する。なお、フィルム２３は、接着層２２を介さずに基材２１の上面２１ａに直接接着されても良い。
【００１７】
フィルム２３は、受像層３１と、光応答層３２と、オーバーコート層３３とを有する。受像層３１は、例えば、記録層及び印刷層のようにも称され得る。光応答層３２は、例えば、記録層及び光反応層のようにも称され得る。オーバーコート層３３は、例えば、保護層のようにも称され得る。
【００１８】
受像層３１は、接着層２２を介して基材２１に重ねられる。受像層３１は、例えば、インクによる各種情報の印刷（記録）が可能な材料によって作られる。受像層３１は、印刷面３１ａを有する。印刷面３１ａに、顔画像１２及び文字情報１３が、例えばインクによって印刷される。印刷面３１ａは、接着層２２を介して基材２１の上面２１ａに対向する。
【００１９】
光応答層３２は、受像層３１の接着層２２が重ねられた面とは反対側の面に重ねられる。光応答層３２は、光により各種情報を記録可能な媒体によって構成され、例えば、光を照射されることにより化学構造が変化するフォトポリマーによって作られる。なお、光応答層３２はこれに限らない。光応答層３２にレーザ光のような光が照射されることで、光応答層３２にホログラム１４が形成される。
【００２０】
オーバーコート層３３は、光応答層３２の受像層３１が重ねられた面とは反対側の面に重ねられる。オーバーコート層３３は、例えば、ポリプロピレンのような合成樹脂によって作られる。オーバーコート層３３は、光応答層３２を覆って保護する。オーバーコート層３３は、ＩＤカード１０の表示面１１を形成する表面３３ａを有する。オーバーコート層３３の表面３３ａは、オーバーコート層３３の光応答層３２が重ねられた面とは反対側の面であり、ＩＤカード１０の外部に向く面である。
【００２１】
受像層３１、光応答層３２、及びオーバーコート層３３は、可視光を透過可能な透明の層である。このため、基材２１の上面２１ａに形成された情報と、受像層３１の印刷面３１ａに形成された顔画像１２及び文字情報１３と、光応答層３２に形成されたホログラム１４とは、表示面１１から視認可能である。
【００２２】
図３は、ＩＤカード１０を製造するＩＤカード製造装置４０を概略的に示す図である。ＩＤカード製造装置４０は、画像形成装置の一例である。ＩＤカード製造装置４０は、いわゆる中間転写方式によってＩＤカード１０を製造する。
【００２３】
ＩＤカード製造装置４０は、フィルム搬送部４１と、印刷部４２と、ホログラム作成部４３と、媒体搬送部４４と、転写部４５とを備える。フィルム搬送部４１は、搬送部の一例である。印刷部４２は、第１の記録部の一例である。ホログラム作成部４３は、第２の記録部の一例である。
【００２４】
図４は、ＩＤカード製造装置４０の制御部４６の構成を機能的に示すブロック図である。図４は、説明のため、フィルム搬送部４１、印刷部４２、ホログラム作成部４３、媒体搬送部４４、及び転写部４５をさらに示す。ＩＤカード製造装置４０は、制御部４６をさらに備える。
【００２５】
制御部４６は、フィルム搬送制御部５１と、印刷制御部５２と、ホログラム作成制御部５３と、媒体搬送制御部５４と、転写制御部５５とを備える。フィルム搬送制御部５１は、フィルム搬送部４１を制御する。印刷制御部５２は、印刷部４２を制御する。ホログラム作成制御部５３は、ホログラム作成部４３を制御する。媒体搬送制御部５４は、媒体搬送部４４を制御する。転写制御部５５は、転写部４５を制御する。
【００２６】
本実施の形態の制御部４６は、ＣＰＵ（Ｃｅｎｔｒａｌ  Ｐｒｏｃｅｓｓｉｎｇ  Ｕｎｉｔ）などの制御装置と、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶装置と、ＨＤＤ（Ｈａｒｄ  Ｄｉｓｋ  Ｄｒｉｖｅ）、ＣＤドライブ装置などの外部記憶装置とを備える。制御部４６は、例えばＲＯＭに格納されたプログラムをＣＰＵが読み出して実行することにより、フィルム搬送制御部５１、印刷制御部５２、ホログラム作成制御部５３、媒体搬送制御部５４、及び転写制御部５５を主記憶装置上にロードして生成する。
【００２７】
図３に示すように、フィルム搬送部４１は、中間転写フィルム６０の搬送路を形成し、当該搬送路に沿って中間転写フィルム６０を搬送する。中間転写フィルム６０は、中間転写媒体の一例である。
【００２８】
フィルム搬送部４１は、フィルム供給部４１ａと、複数のフィルム搬送ローラ４１ｂと、フィルム巻取部４１ｃとを有する。フィルム供給部４１ａは、帯状の中間転写フィルム６０が巻回されたローラであり、中間転写フィルム６０を供給する。フィルム搬送ローラ４１ｂは、中間転写フィルム６０が架け渡されるとともに、例えばモータによって駆動させられることで中間転写フィルム６０を搬送する。フィルム巻取部４１ｃは、フィルム搬送ローラ４１ｂによって搬送された中間転写フィルム６０を巻き取る。
【００２９】
図５は、図３のＦ５−Ｆ５線に沿ってホログラム作成部４３及び中間転写フィルム６０を示す断面図である。図５に示すように、中間転写フィルム６０は、ベースフィルム６１と、剥離層６２と、フィルム２３とを有する。フィルム２３は、上述のように、受像層３１と、光応答層３２と、オーバーコート層３３とを有する。
【００３０】
ベースフィルム６１は、例えば、合成樹脂によって作られる。ベースフィルム６１は、第１の面６１ａと、第２の面６１ｂとを有する。第２の面６１ｂは、第１の面６１ａの反対側に位置する。
【００３１】
剥離層６２は、フィルム２３のオーバーコート層３３の表面３３ａを、ベースフィルム６１の第１の面６１ａに接着する。剥離層６２は、例えば加熱されることで、ベースフィルム６１からフィルム２３を容易に剥離可能にする。
【００３２】
ベースフィルム６１と剥離層６２とは、可視光を透過可能な透明の部材である。上述のように、フィルム２３の受像層３１、光応答層３２、及びオーバーコート層３３も、可視光を透過可能である。このため、中間転写フィルム６０は、可視光を透過可能である。なお、中間転写フィルム６０が透過可能な光は、可視光に限らない。本実施の形態では、フィルム２３に光応答層３２を設け、かつベースフィルム６１と剥離層６２とフィルム２３とを、ホログラム１４を記録するための光を透過可能とすることで、中間転写フィルム６０を、光により情報を記録可能な中間転写媒体の一例として機能させる。
【００３３】
フィルム２３のオーバーコート層３３の表面３３ａは、ベースフィルム６１の第１の面６１ａに対向する。一方、中間転写フィルム６０の受像層３１の印刷面３１ａは、外部に露出される。受像層３１の印刷面３１ａと、ベースフィルム６１の第２の面６１ｂとが、それぞれ中間転写フィルム６０の表面（最も外側の面）を形成する。
【００３４】
図３に示す印刷部４２は、インクによって顔画像１２や文字情報１３等の各種情報を中間転写フィルム６０（本実施の形態では、受像層３１）に記録可能な記録部であり、例えば、インクジェットプリンタである。なお、印刷部４２は、インクによって中間転写フィルム６０に各種情報を記録可能なものであれば、これに限らず、昇華型や熱溶融型のサーマルプリンタのような、熱によってインクを中間転写フィルム６０に転写することにより、他の情報を中間転写フィルム６０に記録する装置であっても良い。
【００３５】
印刷部４２は、例えば、中間転写フィルム６０の受像層３１の印刷面３１ａに向かってインク滴を吐出することで、当該印刷面３１ａに情報を記録する。印刷部４２は、顔画像１２及び文字情報１３を、受像層３１の印刷面３１ａに記録する。
【００３６】
印刷部４２は、さらに、図５に示す被写体画像６６を受像層３１の印刷面３１ａに印刷する。被写体画像６６は、第１の情報の一例である。被写体画像６６は、ホログラム作成部４３が、中間転写フィルム６０の光応答層３２にホログラム１４を記録するための画像である。本実施の形態では、顔画像１２または文字情報１３とは別の画像である被写体画像６６を、ホログラム１４の記録に用いる画像としているが、これに限定するものではなく、顔画像１２および文字情報１３の少なくともいずれか一方を、ホログラム１４の記録に用いる画像としても良い。本実施の形態では、ホログラム１４は、被写体画像６６に基づいて作成（記録）されるため、ホログラム１４と被写体画像６６とは同一の被写体（例えば、ＩＤカード１０の所有者）を示す。
【００３７】
中間転写フィルム６０のフィルム２３は、第１の領域Ｒ１と、第２の領域Ｒ２とを有する。第１の領域Ｒ１は、転写部４５によって基材２１に転写され、ＩＤカード１０を形成する部分である。第２の領域Ｒ２は、第１の領域Ｒ１から外れた部分（言い換えると、フィルム２３上において第１の領域Ｒ１とは異なる部分）である。第１の領域Ｒ１は、中間転写媒体の一部の一例である。
【００３８】
印刷部４２は、顔画像１２及び文字情報１３を、フィルム２３の第１の領域Ｒ１に印刷する。一方、印刷部４２は、被写体画像６６を、フィルム２３の第２の領域Ｒ２に印刷する。言い換えると、印刷部４２は、被写体画像６６を、フィルム２３の基材２１に転写されない部分に印刷する。
【００３９】
図６は、図５のＦ６−Ｆ６線に沿ってホログラム作成部４３及び中間転写フィルム６０を示す断面図である。図６に示すように、ホログラム作成部４３は、カバー７１と、光源７２とを有する。
【００４０】
カバー７１は、例えば、両端が開口する箱型に形成される。カバー７１の内部を、フィルム搬送部４１によって搬送される中間転写フィルム６０が通過する。カバー７１の内部に吸光材が設けられても良い。
【００４１】
中間転写フィルム６０の搬送路において、中間転写フィルム６０は、受像層３１の印刷面３１ａが外側に向くように折り返される。なお、中間転写フィルム６０は、受像層３１の印刷面３１ａが内側に向くように折り返されても良い。
【００４２】
折り返された中間転写フィルム６０の一部は、カバー７１の内部において、隙間を介して互いに重ねられる。言い換えると、中間転写フィルム６０は、互いに重なる第１の部分６０ａと第２の部分６０ｂとを有する。すなわち、本実施の形態では、フィルム搬送部４１は、中間転写フィルム６０の第１の部分６０ａおよび第２の部分６０ｂが互いに重なる搬送路に沿って中間転写フィルム６０を搬送する。
【００４３】
中間転写フィルム６０の第１の部分６０ａは、第２の部分６０ｂよりも、中間転写フィルム６０の搬送路の下流側に位置する。第１の部分６０ａは、第２の部分６０ｂの下方に位置する。第１の部分６０ａと第２の部分６０ｂとは、略平行に配置される。なお、第１の部分６０ａと第２の部分６０ｂとの配置はこれに限らない。フィルム搬送部４１が中間転写フィルム６０を搬送することで、中間転写フィルム６０の第１の部分６０ａ及び第２の部分６０ｂを形成する部分は変化（移動）する。
【００４４】
光源７２は、中間転写フィルム６０の光応答層３２にホログラム１４を記録するための光を、中間転写フィルム６０に照射する。例えば、光応答層３２がフォトポリマーである場合、光源７２は、５３２ｎｍの波長を有する緑色のレーザ光を照射する。さらに、光源７２は、赤色のレーザ光及び青色のレーザ光を照射する。なお、光源７２が照射する光の波長は、光応答層３２が感度を有する（言い換えると、光応答層３２に光が入射されることによりホログラム１４が記録される）帯域にあれば良い。
【００４５】
光源７２は、レーザ発振器と、スペイシャルフィルタ及びレンズのような種々の光学素子とを有する。スペイシャルフィルタは、レーザ光の径を拡大したり、レーザ光の品質を向上させたりする。光源７２は、照射面７２ａを有し、当該照射面７２ａからレーザ光Ｌ１を照射する。
【００４６】
図５に示すように、光源７２は、カバー７１の内部に配置される。光源７２は、中間転写フィルム６０の第２の部分６０ｂの、受像層３１の印刷面３１ａに面する。光源７２は、中間転写フィルム６０の表面（受像層３１の印刷面３１ａ）の法線に対し、例えば２０°傾斜した角度でレーザ光Ｌ１を照射するように配置される。言い換えると、光源７２の照射面７２ａと中間転写フィルム６０の受像層３１の印刷面３１ａとの間の角度θは、２０°である。なお、光源７２及び照射されるレーザ光Ｌ１の角度はこれに限らない。
【００４７】
光源７２は、被写体画像６６が第１の部分６０ａに位置するとともに第１の領域Ｒ１に重なる状態で、中間転写フィルム６０の第２の部分６０ｂに向かってレーザ光Ｌ１を照射する。レーザ光Ｌ１は、可視域の光であるため、第２の部分６０ｂ及び第１の部分６０ａを透過し、第１の部分６０ａの受像層３１の印刷面３１ａに印刷された被写体画像６６に到達する。言い換えると、光源７２は、第１の部分６０ａに位置する被写体画像６６に、第１の部分６０ａおよび第２の部分６０ｂを介してレーザ光Ｌ１を照射する。
【００４８】
レーザ光Ｌ１は、被写体画像６６によって反射される。被写体画像６６で反射した反射光Ｌ２は、中間転写フィルム６０の第１の部分６０ａを透過して、第２の部分６０ｂに照射（入射）される。
【００４９】
よって、中間転写フィルム６０の第２の部分６０ｂには、光源７２から照射されたレーザ光Ｌ１（被写体画像６６で反射していない参照光の一例）と、被写体画像６６で反射した反射光Ｌ２とが照射（入射）される。レーザ光Ｌ１と反射光Ｌ２とは、第２の部分６０ｂの光応答層３２で干渉し、光応答層３２に、被写体画像６６に基づくホログラム１４を記録する。これにより、ホログラム作成部４３は、レーザ光Ｌ１と反射光Ｌ２とを中間転写フィルム６０に入射して、当該中間転写フィルム６０にホログラム１４を記録する。光源７２が赤色（Ｒ）、緑色（Ｇ）、青色（Ｂ）のレーザ光Ｌ１をそれぞれ照射することで、カラー（多色）のホログラム１４が形成される。ホログラム１４は、フィルム２３の第１の領域Ｒ１に形成される。
【００５０】
上記のように、光源７２は、中間転写フィルム６０の第２の部分６０ｂに照射するレーザ光Ｌ１と、被写体画像６６から反射した反射光Ｌ２とによって、光応答層３２にホログラム１４を記録する。すなわち、レーザ光Ｌ１は参照光、反射光Ｌ２は物体光となり、ホログラム１４を形成する。カバー７１の内部に吸光材が設けられることで、例えばレーザ光Ｌ１及び反射光Ｌ２が所望の場所以外に照射されることや、迷光が抑制される。
【００５１】
ホログラム作成部４３は、上記のようなデニシュクホログラムであるホログラム１４を中間転写フィルム６０に記録する。ホログラム作成部４３はこれに限らず、例えば二光束で記録したリップマンホログラムのような他の種類のホログラム１４を中間転写フィルム６０に記録しても良い。
【００５２】
図３に示すように、媒体搬送部４４は、基材２１を転写部４５に搬送する。さらに、媒体搬送部４４は、転写部４５でフィルム２３を転写された基材２１（ＩＤカード１０）を、ＩＤカード製造装置４０の取り出し口へ搬送する。媒体搬送部４４は、例えば、吸着ベルト搬送によって基材２１を搬送する。
【００５３】
転写部４５は、中間転写フィルム６０に記録されたホログラム１４を、ＩＤカード１０に転写する。また、転写部４５は、中間転写フィルム６０に記録された顔画像１２および文字情報１３を、ＩＤカード１０に転写する。本実施の形態では、転写部４５は、中間転写フィルム６０のフィルム２３を、媒体搬送部４４によって搬送された基材２１に転写する。転写部４５は、例えば、ヒートローラ４５ａと、プラテンローラ４５ｂとを有する。転写部４５は、顔画像１２、文字情報１３、及びホログラム１４が記録されたフィルム２３の第１の領域Ｒ１を、ヒートローラ４５ａによって基材２１に転写する。なお、転写部４５は、例えばサーマルヘッドによってフィルム２３を基材２１に転写しても良い。
【００５４】
図７は、ＩＤカード製造装置４０によるＩＤカード１０の製造工程の一例を示すフローチャートである。以下、図７を参照して、ＩＤカード１０の製造方法の一例について説明する。
【００５５】
まず、制御部４６の印刷制御部５２が、中間転写フィルム６０に記録される情報を取得する（ステップＳ１１）。例えば、印刷制御部５２は、顔画像１２、文字情報１３、及び被写体画像６６についてのデータを取得する。
【００５６】
次に、印刷制御部５２は、印刷部４２を制御し、中間転写フィルム６０の受像層３１の印刷面３１ａに、被写体画像６６の印刷を行う（ステップＳ１２）。印刷制御部５２は、被写体画像６６を、例えば、中間転写フィルム６０の搬送方向及びＩＤカード１０の向きに応じて上下方向及び左右方向の少なくとも一方に鏡面反転させて、受像層３１に印刷する。
【００５７】
次に、フィルム搬送制御部５１がフィルム搬送部４１を制御し、中間転写フィルム６０を所定の距離だけ搬送する（ステップＳ１３）。フィルム搬送部４１が中間転写フィルム６０を搬送する距離は、搬送路における中間転写フィルム６０の第１の部分６０ａから第２の部分６０ｂまでの距離に大よそ等しいが、これに限らない。
【００５８】
フィルム搬送制御部５１は、例えば、フィルム搬送ローラ４１ｂの回転量によって、中間転写フィルム６０の搬送距離を取得する。なお、これに限らず、フィルム搬送制御部５１は、中間転写フィルム６０に形成されたマーカーをカメラのようなセンサで検知することで、中間転写フィルム６０の搬送距離を取得しても良い。
【００５９】
次に、印刷制御部５２は、印刷部４２を制御し、中間転写フィルム６０の受像層３１の印刷面３１ａに、顔画像１２及び文字情報１３の印刷を行う（ステップＳ１４）。印刷制御部５２は、顔画像１２及び文字情報１３を、例えば、中間転写フィルム６０の搬送方向及びＩＤカード１０の向きに応じて上下方向及び左右方向の少なくとも一方に鏡面反転させて、受像層３１に印刷する。
【００６０】
次に、フィルム搬送制御部５１がフィルム搬送部４１を制御し、中間転写フィルム６０を所定の距離だけ搬送する（ステップＳ１５）。これにより、図５及び図６のように、被写体画像６６と、フィルム２３の第１の領域Ｒ１とが、ホログラム作成部４３のカバー７１の内部に配置される。被写体画像６６は、中間転写フィルム６０の第１の部分６０ａに位置するとともに、フィルム２３の第１の領域Ｒ１に重なる。顔画像１２及び文字情報１３は、被写体画像６６から外れた位置に配置される。
【００６１】
次に、ホログラム作成制御部５３は、ホログラム作成部４３を制御し、中間転写フィルム６０の第２の部分６０ｂの光応答層３２にホログラム１４を記録する（ステップＳ１６）。これにより、フィルム２３の第１の領域Ｒ１に、顔画像１２、文字情報１３、及びホログラム１４が形成される。図６は、第１の領域Ｒ１と第２の領域Ｒ２とを一点鎖線で区切って示す。ホログラム作成部４３は、例えば、光応答層３２の情報記録特性に応じて、中間転写フィルム６０にホログラム１４を固定するための紫外線を照射しても良い。
【００６２】
次に、フィルム搬送制御部５１がフィルム搬送部４１を制御し、中間転写フィルム６０を所定の距離だけ搬送する。さらに、媒体搬送制御部５４が媒体搬送部４４を制御し、基材２１を転写部４５に搬送する（ステップＳ１７）。これにより、転写部４５において、顔画像１２、文字情報１３、及びホログラム１４が形成されたフィルム２３の第１の領域Ｒ１が、基材２１に対向する。
【００６３】
次に、転写制御部５５が転写部４５を制御し、中間転写フィルム６０を基材２１に転写する（ステップＳ１８）。転写部４５により、顔画像１２、文字情報１３、及びホログラム１４が記録されたフィルム２３の第１の領域Ｒ１が、基材２１に転写される。これにより、ＩＤカード１０が形成される。
【００６４】
次に、媒体搬送制御部５４が媒体搬送部４４を制御し、ＩＤカード１０を、ＩＤカード製造装置４０の取り出し口に搬送する（ステップＳ１９）。なお、ＩＤカード１０は、取り出し口に搬送される前に、冷却及び乾燥されても良い。以上により、ＩＤカード１０が製造される。
【００６５】
なお、上記説明において、ＩＤカード製造装置４０によって一つのＩＤカード１０が製造された。しかし、ＩＤカード製造装置４０は、複数のＩＤカード１０を連続（平行）して製造し、ＩＤカード１０の製造時間を短縮し、効率化しても良い。例えば、印刷部４２は、一つのＩＤカード１０の顔画像１２及び文字情報１３と被写体画像６６との間に、他のＩＤカード１０の顔画像１２及び文字情報１３や被写体画像６６を印刷しても良い。
【００６６】
第１の実施の形態に係るＩＤカード製造装置４０において、印刷部４２は、中間転写フィルム６０に、被写体画像６６を記録する。そして、ホログラム作成部４３は、中間転写フィルム６０に、印刷部４２が記録した被写体画像６６で反射した反射光Ｌ２およびレーザ光Ｌ１を中間転写フィルム６０に入射して、中間転写フィルム６０にホログラム１４を記録する。すなわち、印刷部４２が、ホログラム１４の被写体となる被写体画像６６を中間転写フィルム６０に作成する。これにより、ホログラム１４の被写体を作成するための液晶のような専用の装置が不要となる。したがって、ＩＤカード製造装置４０はＩＤカード１０に簡易にホログラム１４を形成できる。
【００６７】
さらに、印刷部４２は、印刷制御部５２が取得したデータに基づき、ホログラム１４の被写体となる被写体画像６６を中間転写フィルム６０に印刷する。このため、オンデマンドのホログラム１４が作成され、ＩＤカード１０の偽変造に対する耐性が向上する。例えば、ＩＤカード１０が偽変造され難くなるとともに、偽変造されたＩＤカード１０が容易に検出される。
【００６８】
印刷部４２は、中間転写フィルム６０に顔画像１２及び文字情報１３を記録する。転写部４５は、ホログラム１４と顔画像１２及び文字情報１３とが記録されたフィルム２３の第１の領域Ｒ１を、基材２１に転写する。すなわち、印刷部４２は、ホログラム１４の被写体となる被写体画像６６のみならず、ＩＤカード１０に記録される顔画像１２及び文字情報１３をも中間転写フィルム６０に記録する。これにより、ＩＤカード製造装置４０の構造が簡単になり、ホログラム１４を有するＩＤカード１０の製造コストが低減する。
【００６９】
ホログラム作成部４３は、中間転写フィルム６０に照射するレーザ光Ｌ１（参照光）と、被写体画像６６から反射した反射光Ｌ２（物体光）とによって、中間転写フィルム６０にホログラム１４を作成する。これにより、ＩＤカード製造装置４０はＩＤカード１０に、より簡易且つ高速にホログラム１４を形成できる。
【００７０】
ホログラム作成部４３は、中間転写フィルム６０の第１の部分６０ａに位置する被写体画像６６に、第２の部分６０ｂを介してレーザ光Ｌ１を照射する。第２の部分６０ｂを介して被写体画像６６に照射されるレーザ光Ｌ１が反射し、反射した反射光Ｌ２が物体光となる。さらに、レーザ光Ｌ１は第２の部分６０ｂにも照射されるため、当該レーザ光Ｌ１が参照光となる。このように、ＩＤカード製造装置４０は、第１の部分６０ａと重ねられた第２の部分６０ｂにレーザ光Ｌ１を照射することで、簡易にホログラム１４を形成できる。
【００７１】
（第２の実施の形態）
以下に、第２の実施の形態について、図８及び図９を参照して説明する。なお、以下の実施の形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施の形態に応じた異なる機能及び性質を有していても良い。
【００７２】
図８は、第２の実施の形態に係るＩＤカード製造装置４０を概略的に示す図である。図８に示すように、第２の実施の形態の印刷部４２は、ホログラム作成部４３を通過した中間転写フィルム６０（すなわち、ホログラム１４を記録済みの中間転写フィルム６０）の第２の部分６０ｂに印刷を行う。なお、印刷部４２は、ホログラム作成部４３を通過する前の中間転写フィルム６０の第１の部分６０ａに印刷を行っても良い。
【００７３】
第２の実施の形態のＩＤカード製造装置４０において、ホログラム作成部４３によってホログラム１４が形成された中間転写フィルム６０が、印刷部４２に搬送される。印刷部４２は、ホログラム作成部４３がホログラム１４を記録した中間転写フィルム６０の受像層３１に、顔画像１２及び文字情報１３を印刷する。
【００７４】
図９は、第２の実施の形態のＩＤカード製造装置４０によって製造されるＩＤカード１０の一例を示す平面図である。図９に示すように、第２の実施の形態のＩＤカード１０において、ホログラム１４は、文字情報１３と重ねられて形成される。なお、ホログラム１４は、顔画像１２に重ねられても良い。
【００７５】
上述のように、印刷部４２は、ホログラム作成部４３がホログラム１４を記録した後に、中間転写フィルム６０に顔画像１２及び文字情報１３を印刷する。このため、ホログラム作成部４３がホログラム１４を中間転写フィルム６０に記録するときに、文字情報１３は中間転写フィルム６０の第２の部分６０ｂに存在しない。このため、文字情報１３がレーザ光Ｌ１を吸収及び反射することが防止される。
【００７６】
第２の実施の形態のＩＤカード製造装置４０において、印刷部４２は、ホログラム作成部４３が中間転写フィルム６０にホログラム１４を記録した後に、当該中間転写フィルム６０に顔画像１２及び文字情報１３を記録する。これにより、顔画像１２及び文字情報１３がホログラム１４の記録を妨げることが抑制される。さらに、ホログラム１４と顔画像１２及び文字情報１３とを重ねて記録することが可能となり、ＩＤカード１０のデザインの自由度が向上する。
【００７７】
（第３の実施の形態）
本実施の形態は、中間転写フィルムの被写体画像が記録された反射領域内の複数の位置のそれぞれにおける反射光の反射角度を異ならせる角度変更機構（第１機構の一例）を有する例である。以下の説明では、上述の実施の形態と同様の箇所については説明を省略する。
【００７８】
図１０は、第３の実施の形態にかかるＩＤカード製造装置が有するホログラム作成部及び中間転写フィルムを図３のＦ５−Ｆ５線に沿って示す断面図である。図１１は、第３の実施の形態にかかるＩＤカード製造装置が有する角度変更機構の動作の一例を説明するための図である。図１０に示すように、本実施の形態では、ホログラム作成部１０００は、中間転写フィルム６０の被写体画像６６が記録された反射領域ＬＲ（第１領域の一例）内の複数の位置において、反射光Ｌ２の反射角θ２を異ならせる角度変更機構１００１を有する。
【００７９】
本実施の形態では、角度変更機構１００１は、図１０および図１１（ａ）に示すように、第１の部分６０ａの下方に設けられる。そして、角度変更機構１００１は、図１１（ｂ）に示すように、図示しないアクチュエータにより駆動されて第２の部分６０ｂに向かって移動して、被写体画像６６が記録された反射領域ＬＲに接触する。さらに、角度変更機構１００１は、第２の部分６０ｂに向かって移動して、反射領域ＬＲを、印刷面３１ａ（第１面の一例）から、第２の面６１ｂに向かって移動させる（すなわち、反射領域ＬＲを第２の面６１ｂに向かって押し上げる）。
【００８０】
そして、角度変更機構１００１は、図１１（ｃ）および図１１（ｄ）に示すように、光源７１からレーザ光Ｌ１が被写体画像６６に照射された際に、被写体画像６６で反射した反射光Ｌ２の反射角度θ２を、反射領域ＬＲ内の複数の位置（例えば、位置Ｐ１，Ｐ２）それぞれにおいて異ならせる。これにより、位相が異なる複数の反射光Ｌ２を中間転写フィルム６０（光反応層３２）に入射することができるので、ホログラム１４をより立体的に視認可能としかつホログラム１４の偽造に対する耐性を更に向上させることができる。
【００８１】
本実施の形態では、角度変更機構１００１のうち反射領域ＬＲと接触する接触面１００１Ｓは、例えば、光を鏡面反射する鏡や光を拡散反射させる白色の媒体等により構成される。また、本実施の形態では、接触面１００１Ｓは、印刷面３１ａ側から第２の面６１ｂに向かって突出した湾曲面となっているが、これに限定するものではなく、例えば、平面や凹凸を有する面であっても良い。また、接触面１００１Ｓは、人間の顔の輪郭の曲面を模した形状となっていても良い。
【００８２】
本実施の形態では、角度変更機構１００１は、反射領域ＬＲ全体を移動させているが、反射領域ＬＲ内の複数の位置それぞれにおける反射角度θ２を異ならせるように、反射領域ＬＲを移動させるものであれば、これに限定するものではなく、例えば、反射領域ＬＲの一部を移動させて、反射領域ＬＲ内において反射角度θ２を異ならせても良い。
【００８３】
また、本実施の形態では、角度変更機構１００１は、反射領域ＬＲを印刷面３１ａ側から第２の面６１ｂ側に向かって移動させて、反射領域ＬＲ内の複数の位置それぞれにおける反射角度θ２を異ならせているが、反射領域ＬＲ内の複数の位置それぞれにおける反射角度θ２を異ならせるものであれば、これに限定するものではなく、例えば、反射領域ＬＲを、第２の面６１ｂ側から印刷面３１ａ側に向かって移動させることによって、反射領域ＬＲ内の複数の位置それぞれにおける反射角度θ２を異ならせても良い。
【００８４】
図１２は、第３の実施の形態にかかるＩＤカード製造装置におけるＩＤカードの製造工程の一例を示すフローチャートである。以下の説明では、上述した図７に示すＩＤカードの製造工程と同様の箇所については、説明を省略する。
【００８５】
制御部４６は、被写体画像６６がフィルム２３の第１の領域Ｒ１に重なる位置に搬送されると（ステップＳ１５）、角度変更機構１００１を、印刷面３１ａ側から第２の面６１ｂ側へ向かって移動させて、当該角度変更機構１００１の接触面１００１Ｓを、中間転写フィルム６０の被写体画像６６が記録された反射領域ＬＲに押し当て（ステップＳ１２０１）、さらに、反射領域ＬＲを移動させて、反射領域ＬＲを接触面１００１Ｓの形状に沿うように変形させる。
【００８６】
ホログラム作成制御部５３は、反射領域ＬＲが移動すると、ホログラム作成部４３を制御して、中間転写フィルム６０の第２の部分６０ｂの光応答層３２にレーザ光Ｌ１を入射させ、かつ接触面１００１Ｓに沿って変更させた反射領域ＬＲ内の複数の位置それぞれにおいて異なる反射角度θ２で反射した反射光Ｌ２を光応答層３２に入射する。これにより、ホログラム作成制御部５３は、第２の部分６０ｂの光応答層３２にホログラム１４を記録する（ステップＳ１２０２）。
【００８７】
制御部４６は、第２の部分６０ｂの光応答層３２にホログラム１５が記録されると、角度変更機構１００１を、第２の面６１側から印刷面３１ａ側に向かう方向に移動させて、中間転写フィルム６０から角度変更機構１００１を離す（ステップＳ１２０３）。
【００８８】
このように、第３の実施の形態にかかるＩＤカード製造装置４０によれば、ホログラム１４をより立体的に視認可能としかつホログラム１４の偽造に対する耐性を更に向上させることができる。
【００８９】
（変形例１）
本変形例は、モノクロの被写体画像６６を中間転写フィルム６０に記録し、当該モノクロの被写体画像６６を用いてホログラム１４を記録する例である。以下の説明では、第３の実施の形態と同様の箇所については説明を省略する。
【００９０】
図１３は、変形例１にかかるＩＤカード製造装置における二値化処理の一例を説明するための図である。図１３に示すように、本変形例では、印刷制御部５２は、中間転写フィルム６０に記録する被写体画像６６のカラー画像データＧ１を取得すると、取得したカラー画像データＧ１に対して誤差拡散処理等の二値化処理を施す。そして、印刷制御部５２は、二値化処理を施したモノクロ２値画像データＧ２に従って、印刷部４２を制御して、モノクロの被写体画像６６を印刷面３１ａに対して記録する。
【００９１】
そして、ホログラム作成制御部５３は、ホログラム作成部４３を制御して、中間転写フィルム６０の第２の部分６０ｂの光応答層３２にレーザ光Ｌ１を入射し、かつモノクロの被写体画像６６が記録された反射領域ＬＲで反射した反射光Ｌ２を光応答層３２に入射する。これにより、モノクロの被写体画像６６において、黒インクが存在しない箇所ではレーザ光Ｌ１を反射させ、黒インクが存在する箇所ではレーザ光Ｌ１を吸収させて、ホログラム１４の陰影を付けることができるので、明暗がより明確に表現されたホログラム１４を記録することができる。本変形例は、単色のレーザ光Ｌ１を用いてグレースケールのホログラム１４を記録する際に適している。
【００９２】
（変形例２）
本変形例は、反射領域ＬＲを、第２の面６１ｂ側から印刷面３１ａ側に向かって移動させて、反射領域ＬＲ内の複数の位置それぞれにおける反射角度θ２を異ならせる例である。以下の説明では、第３の実施の形態と異なる箇所について説明する。
【００９３】
図１４は、変形例２にかかるＩＤカード製造装置が有する角度変更機構の動作の一例を説明するための図である。図１４に示すように、本変形例では、角度変更機構１４００は、把持部１４００ａと、ガイド部１４００ｂと、を有する。図１４に示すように、把持部１４００ａは、中間転写フィルム６０の搬送方向において、反射領域ＬＲより上流側に位置する第１の部分６０ａを把持する。これにより、把持部１４００ａは、第１の部分６０ａの搬送、および第２の面６１ｂから印刷面３１ａへの第１の部分６０ａの移動を制限する。
【００９４】
また、図１４に示すように、ガイド部１４００ｂは、中間転写フィルム６０の搬送方向において、反射領域ＬＲよりも下流側に位置する第１の部分６０ａに沿うように配置される。これにより、ガイド部１４００ｂは、第２の面６１ｂから印刷面３１ａへの第１の部分６０ａの移動を制限する。その後、フィルム搬送制御部５１は、フィルム搬送部４１を制御して、中間転写フィルム６０を所定の距離だけ搬送して、中間転写フィルム６０の搬送を停止することで、反射領域ＬＲをたわませる。これにより、角度変更機構１４００は、反射領域ＬＲを、第２の面６１ｂ側から印刷面３１ａ側に向かって移動させて、反射領域ＬＲ内の複数の位置それぞれにおける反射角度θ２を異ならせる。
【００９５】
以上説明した少なくとも一つの実施の形態によれば、第１の記録部は、光により情報を記録可能な中間転写媒体にインクによって、第１の情報を記録する。そして、第２の記録部は、中間転写媒体に記録された第１の情報で反射した反射光と、第１の情報で反射していない参照光とを中間転写媒体に入射して、中間転写媒体に対してホログラムを記録する。これにより、画像形成装置は情報記録媒体に簡易にホログラムを形成できる。
【００９６】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【００９７】
例えば、上記実施の形態において、ホログラム作成部４３，１０００は、カラー（多色）のホログラム１４を中間転写フィルム６０に記録する。ホログラム作成部４３，１０００は、光源７２から単色のレーザ光Ｌ１を中間転写フィルム６０に照射することにより、モノクロ（単色）のホログラム１４を中間転写フィルム６０に記録しても良い。
【符号の説明】
【００９８】
１０…ＩＤカード、１２…顔画像、１３…文字情報、１４…ホログラム、２１…基材、４０…ＩＤカード製造装置、４１…フィルム搬送部、４２…印刷部、４３，１０００…ホログラム作成部、４５…転写部、６０…中間転写フィルム、６０ａ…第１の部分、６０ｂ…第２の部分、６６…被写体画像、Ｌ１…レーザ光、Ｌ２…反射光、ＬＲ…反射領域、１００１，１４００…角度変更機構、１４００ａ…把持部、１４００ｂ…ガイド部。
【図１】
2016053707.tif 000003
【図２】
2016053707.tif 000004
【図３】
2016053707.tif 000005
【図４】
2016053707.tif 000006
【図５】
2016053707.tif 000007
【図６】
2016053707.tif 000008
【図７】
2016053707.tif 000009
【図８】
2016053707.tif 000010
【図９】
2016053707.tif 000011
【図１０】
2016053707.tif 000012
【図１１】
2016053707.tif 000013
【図１２】
2016053707.tif 000014
【図１３】
2016053707.tif 000015
【図１４】
2016053707.tif 000016